(57)【要約】【課題】  マスク本体は平面的であるが着用すると顔面に密着して、衛生マスクとしての機能を十分に奏し、しかも安価に製造することができる衛生マスクを提供する。【解決手段】ガーゼ、木綿等から形成されている平面状を呈するマスク本体（１）と、このマスク本体（１）の両側部（３、３）に取り付けられている耳掛け紐（１０、１０）とからなる衛生マスクにおいて、マスク本体（１）の上縁部（２）と両側部（３、３）には、形状記憶部材からなるノーズフイッター（４）とチークフイッター（５、５）とをそれぞれ取り付ける。 【選択図】  図１
2006230962.tif 000002
【特許請求の範囲】
【請求項１】
ガーゼ、木綿等から形成されている平面状を呈するマスク本体と、このマスク本体の両側部に取り付けられている耳掛け紐とからなる衛生マスクであって、
前記マスク本体の上縁部と両側部には、形状記憶部材からなるノーズフイッターとチークフイッターとがそれぞれ取り付けられていることを特徴とする衛生マスク。
【請求項２】
請求項１に記載の衛生マスクにおいて、形状記憶部材が形状記憶ポリマーである衛生マスク。
【発明の詳細な説明】
【技術分野】
【０００１】
本発明は、鼻、口等の所定箇所を覆う平面状のマスク本体と、このマスク本体の両側部に取り付けられているゴムひも等の耳掛け紐とからなる衛生マスクに関するものである。
【背景技術】
【０００２】
鼻、口等の所定箇所を覆う所定面積の衛生マスクのマスク本体は、周知のように、マスク生地、この生地に取り付けられているフイルタ生地等からなっている。そして、本体の両側部にはゴムひもからなる耳掛け紐が取り付けられている。したがって、耳掛け紐も耳に掛けると、マスク本体で口、鼻等の所定の顔面を覆うことができ、所定の目的が達成される。
【０００３】
【特許文献１】特開平１０−５３６０号
【特許文献２】特開平６−３９０５１号
【０００４】
このような衛生マスクは、花粉、細菌、ウイルス等の浸入を遮断する衛生具として従来から多数提案されている。例えば、特許文献１には、マスク本体の上方部分を一旦内側下方へ折り曲げ、再び内側上方へ折り曲げ、そして折り畳み部の先端縁に針金を取り付けた衛生マスクが示されている。また、この衛生マスクの両側部には側当て生地が縫い込まれている。特許文献２には、マスク本体の上縁部に形状記憶ポリマー製の芯材が取り付けられている衛生マスクが示されている。
【発明の開示】
【発明が解決しようとする課題】
【０００５】
特許文献１により提案されている衛生マスクには、上方の縁部に針金が取り付けられているので、マスク本体は平面状を呈しているが、上方の縁部から外気が短絡浸入することは防止され、また呼気がショートすることも阻止される効果は認められる。しかし、マスク本体の両側部は側当て生地が縫い込まれているだけで、格別な対策が採られていないので、詳しくは後述するに側部から外気あるいは呼気がショートし、衛生マスク本来の機能を損なうことが予想される。また、特許文献２により提案されている衛生マスクによると、マスク本体の上縁部に形状記憶ポリマー製の芯材が取り付けられているので、マスク本体の上縁部は、鼻梁に密着し、少なくとも鼻梁部分からのショートは防止される思われる。しかしながら、特許文献１に記載の発明と同様に、側部から外気あるいは呼気がショートする恐れがある。
【０００６】
以下、外気あるいは呼気がマスク本体の両側部からショートする理由を、主として図３により説明する。特許文献１、２にも示されているように、マスク本体はマスク生地すなわちガーゼ、木綿等から形成されているが一般に平面状を呈している。これに対して、人体の顔面は鼻梁、頬骨、口唇等により凹凸状になっている。したがって、平面状のマスク本体は、顔面に必ずしも密着しない。また、耳掛け紐の取り付け部の間隔と、耳の大きさとの位置関係によっても隙間が生じる。すなわち、図２は従来の衛生マスク２０を装着した状態を示す側面図であるが、同図に示されているように、マスク本体２０の側部の上下端部に耳掛け紐２１、２１が取り付けられているが、耳掛け紐２２、２２の取り付け部の間隔Ｄは、耳「Ｅ」の大きさ「ｄ」よりも大きい。したがって、耳掛け紐２２、２２の張力により、マスク本体２１の側部には矢印Ａ方向に互いに引き寄せる分力が生じる。これによっても、マスク本体２０の両側部と頬Ｃとの間には隙間Ｓが生じる。
【０００７】
もっとも、立体的な衛生マスクも提案されてはいる。マスク本体が立体的であれば、ある程度フイットするが、顔面形状あるいは大きさは個人差があり、必ずしも満足のいくものではない。また、立体的なマスクは高価になることが予想され、使い捨てには不向きでもある。さらには、立体的であり嵩張るので、流通コストが高くなることがある。
本発明は、上記したような従来の問題点を解決した衛生マスクを提供することを目的とし、具体的には、マスク本体は平面的であるが着用すると顔面に密着して、衛生マスクとしての機能を十分に発揮し、しかも安価に製造することができる衛生マスクを提供することを目的としている。
【課題を解決するための手段】
【０００８】
本発明は、上記目的を達成するために、マスク本体の上縁部と両側部には形状記憶部材が取り付けられる。すなわち、請求項１に記載の発明は、上記目的を達成するために、ガーゼ、木綿等から形成されている平面状を呈するマスク本体と、このマスク本体の両側部に取り付けられている耳掛け紐とからなる衛生マスクであって、前記マスク本体の上縁部と両側部には、形状記憶部材からなるノーズフイッターとチークフイッターとがそれぞれ取り付けられている。請求項２に記載の発明は、請求項１に記載の衛生マスクにおいて、形状記憶部材が形状記憶ポリマーであるように構成される。
【発明の効果】
【０００９】
以上のように、本発明によると、マスク本体は平面状を呈するが、その上縁部と両側部には形状記憶部材からなるノーズフイッターとチークフイッターとがそれぞれ取り付けられているので、顔面の凹凸形状、大きさ等に関係なく、よくフイットする。したがって、外気も呼気もマスク本体を通過し、短絡はしないという、本発明に特有の効果が得られる。また、マスク本体が平面状を呈するので、比較的安価に製造することができる、流通コストも比較的低くてすむ効果も得られる。
【発明を実施するための最良の形態】
【００１０】
以下、図１により本発明の実施の形態を説明する。本実施の形態に関わる衛生マスクも、形状的には、従来周知の衛生マスクと同様に平面形が略方形を呈するマスク本体１からなっている。そして、このマスク本体１の両側部３、３に、例えばゴム紐からなる一対の耳掛け紐１０、１０が取り付けられている。
【００１１】
マスク本体１は、色々な材料から構成されている。例えば、ガーゼと木綿とから積層構造に形成することもできる。あるいは、マスク生地間にフイルタを設けた積層構造に形成することもできる。フイルタとしてガラスウールと活性炭を入れたもの、あるいは抗菌、防臭セラミックフイルタが適用され得る。このような材料からなるマスク本体１の両側縁３、３は裏側に折り曲げられ、そして耳掛け紐１０、１０を取り込んで縫い込まれている。これによりマスク本体１と耳掛け紐１０、１０は、一体化されている。
【００１２】
上記のように構成されているマスク本体１の上縁部２と両側部３、３に、本実施の形態によると、形状記憶金属、形状記憶ポリマー等の形状記憶部材からなるノーズフイッター４と、チークフイッター５、５とが、外部から見えないように例えば縫い込みにより取り付けられている。本実施の形態によると、マスク本体１の下端部６には形状記憶部材は設けられていない。マスク本体１を着用するときに生じるシワ等は、形状記憶部材が設けられていない下端部６から逃げることになる。本実施の形態によると、マスク本体１の両側部３、３にはチークフイッター５、５が設けられているので、マスク本体１の両側部３、３と頬Ｃとの間に隙間が生じるようなことはない。隙間なく装着されている状態が図１の（ロ）に示されている。ノーズフイッター４により、鼻梁の近傍から空気漏れが阻止されることは明らかである。
【図面の簡単な説明】
【００１３】
【図１】本発明の実施の形態を示す図で、その（イ）はマスク本体の平面図、その（ロ）は着用した状態を示す側面図である。
【図２】従来のマスクを着用した状態を示す側面図である。
【符号の説明】
【００１４】
１      マスク本体            ２      上縁部
３      両側部                ４      ノーズフイッター
５      チークフイッター    １０      耳掛け紐                                                                                               
【図１】
2006230962.tif 000003
【図２】
2006230962.tif 000004